(57)【特許請求の範囲】
【請求項１】
第１の認証方式における第１の認証情報を入力するための第１の領域を有する第１の認証画面を表示する表示部と、
前記表示部に表示された第１の認証画面に基づいて、第１の認証情報の入力を受ける入力部と、
前記入力部が入力を受けた第１の認証情報に基づく認証を制御する認証部と、を備え、
前記第１の認証画面は、認証方式を変更する指示を入力するための第２の領域を有し、
前記第１の認証画面に基づいて、前記入力部が認証方式を変更する指示の入力を受けた場合に、前記表示部は、複数の認証方式から使用する認証方式を選択するための認証方式変更画面を表示するとともに、前記認証方式変更画面に基づいて、前記入力部が第２の認証方式の選択を受けた場合に、当該選択された第２の認証方式における第２の認証情報を入力するための第３の領域を有する第２の認証画面を表示し、
前記第２の認証画面は、認証方式を変更する指示を入力するための第４の領域を有し、
前記第１の認証画面における前記第１の領域及び前記第２の領域の配置と、前記第２の認証画面における前記第３の領域及び前記第４の領域の配置とは、同様にされており、
前記第２の認証画面に基づいて、前記入力部が認証方式を変更する指示の入力を受けた場合に、前記表示部は、前記複数の認証方式から使用する認証方式を選択するための前記認証方式変更画面を表示し、
前記入力部は、前記表示部に表示された第２の認証画面に基づいて、第２の認証情報の入力を受け、
前記認証部は、前記入力部が入力を受けた第２の認証情報に基づく認証を制御すること
を特徴とする情報処理装置。
【請求項２】
前記認証方式変更画面は、自装置で認証を実行するローカル認証及びネットワークに接続された他の装置で認証を実行するネットワーク認証の何れかを選択するための領域を有すること
を特徴とする請求項１に記載の情報処理装置。
【請求項３】
選択可能な認証方式及び選択不可能な認証方式を示す認証設定情報を記憶する認証設定記憶部をさらに備え、
前記認証方式変更画面では、前記認証設定情報で示されている選択可能な認証方式は、選択できるように表示されており、前記認証設定情報で示されている選択不可能な認証方式は、選択できないように表示されていること
を特徴とする請求項１又は２に記載の情報処理装置。
【請求項４】
前記複数の認証方式の各々のセキュリティレベルを示す認証設定情報を記憶する認証設定記憶部をさらに備え、
前記認証方式変更画面では、前記セキュリティレベルが予め定められたレベルよりも高い認証方式しか選択できないように表示されていること
を特徴とする請求項１又は２に記載の情報処理装置。
【請求項５】
前記複数の認証方式の各々のセキュリティレベル、及び、前記複数の認証方式の内のデフォルトの認証方式を示す認証設定情報を記憶する認証設定記憶部をさらに備え、
前記認証方式変更画面では、前記セキュリティレベルが、前記デフォルトの認証方式のセキュリティレベルよりも高い認証方式しか選択できないように表示されていること
を特徴とする請求項１又は２に記載の情報処理装置。
【請求項６】
第１の認証方式における第１の認証情報を入力するための第１の領域を有する第１の認証画面を表示する表示部と、
前記表示部に表示された第１の認証画面に基づいて、第１の認証情報の入力を受ける入力部と、
前記入力部が入力を受けた第１の認証情報に基づく認証を制御する認証部と、を備え、
前記第１の認証画面は、認証方式を変更する指示を入力するための第２の領域を有し、
前記第１の認証画面に基づいて、前記入力部が認証方式を変更する指示の入力を受けた場合に、前記表示部は、複数の認証方式から使用する認証方式を選択するための認証方式変更画面を表示するとともに、前記認証方式変更画面に基づいて、前記入力部が第２の認証方式の選択を受けた場合に、当該選択された第２の認証方式における第２の認証情報を入力するための第３の領域を有する第２の認証画面を表示し、
前記第２の認証画面は、認証方式を変更する指示を入力するための第４の領域を有し、
前記第１の認証画面における前記第１の領域及び前記第２の領域の配置と、前記第２の認証画面における前記第３の領域及び前記第４の領域の配置とは、同様にされており、
前記第２の認証画面に基づいて、前記入力部が認証方式を変更する指示の入力を受けた場合に、前記表示部は、前記複数の認証方式から使用する認証方式を選択するための前記認証方式変更画面を表示し、
前記入力部は、前記表示部に表示された第２の認証画面に基づいて、第２の認証情報の入力を受け、
前記認証部は、前記入力部が入力を受けた第２の認証情報に基づく認証を制御すること
を特徴とする画像形成装置。
【発明の詳細な説明】
【技術分野】
【０００１】
本発明は、情報処理装置及び画像形成装置に関し、特に、認証を必要とする情報処理装置及び画像形成装置に関する。
【背景技術】
【０００２】
従来から、装置を使用するユーザを特定するために認証を行う装置があった。例えば、特許文献１には、受信データに含まれている認証情報を用いて認証を行い、この認証が成功した場合に、受信データに基づいて媒体に画像の形成を行う画像形成装置が開示されている。
【先行技術文献】
【特許文献】
【０００３】
【特許文献１】特開２０１５−３６９５１号公報
【発明の概要】
【発明が解決しようとする課題】
【０００４】
しかしながら、従来の装置では、予め定められた認証方法での認証を受ける必要があり、ユーザの利便性があまりよくなかった。今後、認証を行うユーザの利便性を向上させることが求められる。
【０００５】
そこで、本発明は、認証を行うユーザの利便性を向上させることを目的とする。
【課題を解決するための手段】
【０００６】
本発明の一態様に係る情報処理装置は、第１の認証方式における第１の認証情報を入力するための第１の領域を有する第１の認証画面を表示する表示部と、前記表示部に表示された第１の認証画面に基づいて、第１の認証情報の入力を受ける入力部と、前記入力部が入力を受けた第１の認証情報に基づく認証を制御する認証部と、を備え、前記第１の認証画面は、認証方式を変更する指示を入力するための第２の領域を有し、前記第１の認証画面に基づいて、前記入力部が認証方式を変更する指示の入力を受けた場合に、前記表示部は、複数の認証方式から使用する認証方式を選択するための認証方式変更画面を表示するとともに、前記認証方式変更画面に基づいて、前記入力部が第２の認証方式の選択を受けた場合に、当該選択された第２の認証方式における第２の認証情報を入力するための第３の領域を有する第２の認証画面を表示し、前記第２の認証画面は、認証方式を変更する指示を入力するための第４の領域を有し、前記第１の認証画面における前記第１の領域及び前記第２の領域の配置と、前記第２の認証画面における前記第３の領域及び前記第４の領域の配置とは、同様にされており、前記第２の認証画面に基づいて、前記入力部が認証方式を変更する指示の入力を受けた場合に、前記表示部は、前記複数の認証方式から使用する認証方式を選択するための前記認証方式変更画面を表示し、前記入力部は、前記表示部に表示された第２の認証画面に基づいて、第２の認証情報の入力を受け、前記認証部は、前記入力部が入力を受けた第２の認証情報に基づく認証を制御することを特徴とする。
【０００７】
本発明の一態様に係る画像形成装置は、第１の認証方式における第１の認証情報を入力するための第１の領域を有する第１の認証画面を表示する表示部と、前記表示部に表示された第１の認証画面に基づいて、第１の認証情報の入力を受ける入力部と、前記入力部が入力を受けた第１の認証情報に基づく認証を制御する認証部と、を備え、前記第１の認証画面は、認証方式を変更する指示を入力するための第２の領域を有し、前記第１の認証画面に基づいて、前記入力部が認証方式を変更する指示の入力を受けた場合に、前記表示部は、複数の認証方式から使用する認証方式を選択するための認証方式変更画面を表示するとともに、前記認証方式変更画面に基づいて、前記入力部が第２の認証方式の選択を受けた場合に、当該選択された第２の認証方式における第２の認証情報を入力するための第３の領域を有する第２の認証画面を表示し、前記第２の認証画面は、認証方式を変更する指示を入力するための第４の領域を有し、前記第１の認証画面における前記第１の領域及び前記第２の領域の配置と、前記第２の認証画面における前記第３の領域及び前記第４の領域の配置とは、同様にされており、前記第２の認証画面に基づいて、前記入力部が認証方式を変更する指示の入力を受けた場合に、前記表示部は、前記複数の認証方式から使用する認証方式を選択するための前記認証方式変更画面を表示し、前記入力部は、前記表示部に表示された第２の認証画面に基づいて、第２の認証情報の入力を受け、前記認証部は、前記入力部が入力を受けた第２の認証情報に基づく認証を制御することを特徴とする。
【発明の効果】
【０００８】
本発明の一態様によれば、認証を行うユーザの利便性を向上させることができる。
【図面の簡単な説明】
【０００９】
【図１】画像形成装置の構成を概略的に示すブロック図である。
【図２】オペレーションパネルの概観図である。
【図３】（Ａ）及び（Ｂ）は、ログイン画面の第１及び第２の例を示す概略図である。
【図４】（Ａ）及び（Ｂ）は、ログイン画面の第３及び第４の例を示す概略図である。
【図５】ログイン画面の第５の例を示す概略図である。
【図６】（Ａ）及び（Ｂ）は、ログイン画面の第６及び第７の例を示す概略図である。
【図７】（Ａ）及び（Ｂ）は、ログイン画面の第８及び第９の例を示す概略図である。
【図８】（Ａ）及び（Ｂ）は、ログイン画面の第１０及び第１１の例を示す概略図である。
【図９】待機画面の一例を示す概略図である。
【図１０】エラー画面の一例を示す概略図である。
【図１１】認証設定テーブルを示す概略図である。
【図１２】（Ａ）及び（Ｂ）は、認証方式変更画面の第１及び第２の例を示す概略図である。
【図１３】認証方式変更画面の第３の例を示す概略図である。
【図１４】画像形成装置での動作を示すシーケンス図（その１）である。
【図１５】画像形成装置での動作を示すシーケンス図（その２）である。
【図１６】ログイン画面の一例を示す概略図である。
【図１７】画像形成装置での認証処理を示すフローチャートである。
【図１８】認証方式を変更する処理を示すフローチャートである。
【図１９】認証設定テーブルの変形例を示す概略図である。
【発明を実施するための形態】
【００１０】
実施の形態
（構成の説明）
図１は、実施の形態に係る情報処理装置としての画像形成装置１００の構成を概略的に示すブロック図である。ここでの画像形成装置１００は、複合機であるものとして説明する。
画像形成装置１００は、オペレーションパネル１０１と、認証設定記憶部１０６と、認証受付部１０７と、認証部１０８と、読取部１０９と、画像メモリ１１０と、印刷部１１１と、送受信部１１２と、接続部１１３と、制御部１１４と、記憶部１１５と、共通バス１１６と、ＩＣカードリーダ１１７とを備える。
【００１１】
オペレーションパネル１０１は、各種画面を表示して、操作の入力を受ける。例えば、オペレーションパネル１０１は、認証情報としてのログイン情報を入力してログインしたり、各機能を実行したり、画像データを送信する宛先を指定したりする等の操作を受ける。
オペレーションパネル１０１は、タッチパネル１０２と、操作部１０５とを備える。タッチパネル１０２は、表示部１０３と、表示制御部１０４とを備える。
【００１２】
図２は、オペレーションパネル１０１の概観図である。
オペレーションパネル１０１には、タッチパネル１０２が設けられている。
操作部１０５は、コピーキー１０３−１と、スキャンキー１０３−２と、ファックスキー１０３−３と、プリントキー１０３−４と、スタートキー１０３−５と、キャンセルキー１０３−６と、機器設定キー１０３−７、テンキー１０３−８とを含む。
【００１３】
コピーキー１０３−１は、原稿を複写するコピーを行う際に押下されるキーである。
スキャンキー１０３−２は、原稿から画像データを読み取るスキャンを行う際に押下されるキーである。
ファックスキー１０３−３は、画像データを公衆交換電話網に送信するファックス送信を行う際に押下されるキーである。
プリントキー１０３−４は、媒体に画像を形成する画像形成（プリント）を行う際に押下されるキーである。
ここで、コピーキー１０３−１、スキャンキー１０３−２、ファックスキー１０３−３及びプリントキー１０３−４は、画像形成装置１００の各機能を実行する際に押下されるＡＰ切替キーとして機能する。
【００１４】
スタートキー１０３−５は、画像形成装置１００への動作指示を行う際に押下されるキーである。
キャンセルキー１０３−６は、動作のキャンセルを行う際に押下されるキーである。
機器設定キー１０３−７は、画像形成装置１００の機器設定を行うためのメニューをタッチパネル１０２に表示させる際に押下されるキーである。
テンキー１０３−８は、英数字記号を入力する際に押下されるキーである。
以上のキー押下は、表示制御部１０４にその都度通知される。
【００１５】
図１に戻り、表示部１０３は、表示制御部１０４の制御や操作部１０５の操作に基づいて画面を表示する。また、表示部１０３は、ユーザから操作の入力を受ける。
表示制御部１０４は、表示部１０３の制御を行う。例えば、表示制御部１０４は、表示部１０３が表示している表示内容に応じて、表示部１０３又は操作部１０５の各ボタンの押下時と表示部１０３に表示されている各ボタン押下時の振る舞い及び画面遷移を管理する。
また、表示制御部１０４は、画像形成装置１００の電源投入時、又は、表示部１０３からログアウトの指示を受けた時は、認証受付部１０７にデフォルトのログイン画面を問い合わせて、そのログイン画面を表示部１０３に表示する。ログイン画面は、認証画面として機能する。
さらに、表示制御部１０４は、表示部１０３から認証方式の変更の指示を受けると、認証受付部１０７から取得した画面データに基づいて、認証方式変更画面を表示部１０３に表示する。そして、表示制御部１０４は、表示部１０３から認証方式の変更を指示されると、指示された認証方式のログイン画面の画面データを認証受付部１０７から取得して表示部１０３に表示する。
【００１６】
図３〜図８は、本実施の形態におけるログイン画面の例を示す概略図である。
図３（Ａ）に示されているように、ログイン画面ＩＭ１は、タイトルエリア１２０と、ログイン情報入力エリア１２１と、認証タイプ表示エリア１２２と、認証方式変更指示入力エリア１２３と、管理者ログイン指示入力エリア１２４と、ゲストログイン指示入力エリア１２５と、操作エリア１２６とを有する。このようなエリア構成は、図３〜図８に示されている他のログイン画面ＩＭ２〜ＩＭ１１でも同様である。
【００１７】
タイトルエリア１２０は、ログイン画面であること及びログインを行うための操作例を示すエリアである。ログインを行うための操作例については、ログイン画面に応じて異なる表示が行われる。
ログイン情報入力エリア１２１は、ログイン情報を入力するためのエリア（領域）である。言い換えると、ログイン情報入力エリア１２１は、ログインを行うために必要なログイン情報を入力するエリア又はログインを行うために必要なログイン情報の入力方法を示すエリアである。ログイン情報入力エリア１２１は、ログイン画面に応じて異なる表示が行われる。
【００１８】
認証タイプ表示エリア１２２は、ログイン認証のタイプを表示するエリアである。本実施の形態では、ログイン画面に対応して、自装置で認証を実行する「ローカル」、ネットワークを介して認証を実行する「ネットワーク」及びＫｅｒｂｅｒｏｓ認証を行う「Ｋｅｒｂｅｒｏｓ」の何れかが表示される。「ネットワーク」及び「Ｋｅｒｂｅｒｏｓ」では、ネットワークに接続された他の装置で認証が実行される。
認証方式変更指示入力エリア１２３は、認証方式を変更する指示を入力するためのエリアである。このエリアが押下されると、後述する認証方式変更画面が表示部１０３に表示される。
【００１９】
管理者ログイン指示入力エリア１２４は、管理者用のログイン情報に関する指示を入力するエリアである。ゲストログイン指示入力エリア１２５は、ゲスト用のログイン情報に関する指示を入力するエリアである。なお、管理者用のログイン及びゲスト用のログインについては、詳細な説明を省略する。
操作エリア１２６は、ログイン情報入力エリア１２１に基づいて入力されたログイン情報の認証を実行する指示（ログイン指示：認証指示）を入力するためのエリアである。
【００２０】
なお、後述するように、ここでは、図５に示されているログイン画面ＩＭ５が、デフォルトのログイン画面として指定されているものとする。
図１に戻り、表示制御部１０４は、表示部１０３に表示されたログイン画面を介して、ログインの指示を受けると、受け取ったログイン情報を認証受付部１０７に送り、認証を依頼する。そして、表示制御部１０４は、そのログイン情報の認証結果を表示部１０３に表示する。例えば、認証に成功した場合、言い換えると、「認証結果＝ＯＫ」の場合は、表示制御部１０４は、図９に示されている待機画面ＩＭ２０を表示部１０３に表示する。一方、認証に失敗した場合、言い換えると、「認証結果＝ＮＧ」の場合は、図１０に示されているエラー画面ＩＭ３０を表示部１０３に予め定められた時間、例えば、３秒間表示して、その後、デフォルトのログイン画面を表示する。
【００２１】
図１に戻り、操作部１０５は、操作の入力を受け付ける。例えば、操作部１０５は、上述のキー１０３−１〜１０３−８を介して、操作の入力を受け付ける。
【００２２】
認証設定記憶部１０６は、認証関連の設定情報である認証設定情報を記憶する。
図１１は、認証設定情報の一例である認証設定テーブル１３０を示す概略図である。
認証設定テーブル１３０は、認証タイプ列１３０ａと、認証手段列１３０ｂと、認証方式列１３０ｃと、管理者設定列１３０ｄと、画面列１３０ｇとを有する。
【００２３】
認証タイプ列１３０ａは、ログイン認証のタイプを格納する。上述のように、本実施の形態においては、ログイン認証のタイプは、「ローカル認証」、「ネットワーク認証」又は「Ｋｅｒｂｅｒｏｓ認証」である。
認証手段列１３０ｂは、ログイン認証の手段を格納する。本実施の形態では、ログイン認証の手段は、「Ｎａｍｅ／Ｐａｓｓ」、「Ｎａｍｅ／Ｐａｓｓ＆ＩＣカード」、「ＰＩＮ」、「ＰＩＮ＆ＩＣカード」及び「ＩＣカード」である。「Ｎａｍｅ／Ｐａｓｓ」は、ユーザ名とパスワードを用いてログイン認証を行う手段である。「Ｎａｍｅ／Ｐａｓｓ＆ＩＣカード」は、ユーザ名とパスワード、又は、これらの代わりにＩＣカードを用いてログイン認証を行う手段である。「ＰＩＮ」は、個人識別番号（Ｐｅｒｓｏｎａｌ  Ｉｄｅｎｔｉｆｉｃａｔｉｏｎ  Ｎｕｍｂｅｒ）を用いてログイン認証を行う手段である。「ＰＩＮ＆ＩＣカード」は、個人識別番号又はＩＣカードを用いてログイン認証を行う手段である。「ＩＣカード」は、ＩＣカードを用いてログイン認証を行う手段である。
認証方式列１３０ｃは、認証タイプ及び認証手段の組み合わせで特定される認証方式を識別するための認証方式識別情報（認証方式名）を格納する。
【００２４】
管理者設定列１３０ｄは、認証方式に関する管理者の設定を格納する。本実施の形態では、管理者設定列１３０ｄは、デフォルト列１３０ｅと、有効／無効列１３０ｆとを有する。
デフォルト列１３０ｅは、デフォルトで使用する認証方式（ログイン画面）を示す情報を格納する。ここでは、二重丸が格納されている行の認証方式がデフォルトで使用される。
有効／無効列１３０ｆは、認証方式が有効か無効かの情報を格納する。
要するに、本実施の形態では、管理者は、デフォルトで使用する認証方式と、有効な認証方式（使用可能な認証方式）とを設定する。
【００２５】
画面列１３０ｇは、それぞれの認証方式で使用するログイン画面を識別するためのログイン画面識別情報を格納する。
図１１に示されている認証設定テーブル１３０では、認証タイプと認証手段とから成る１１種類の認証方式が特定されており、ローカルＩＣカード認証がデフォルトの認証方式として設定され、それぞれの認証方式に対して認証処理ができるかどうかの有効／無効が設定されている。なお、図１１の例では、ネットワーク認証でＩＣカードを用いた認証は、無効に設定されているので、ＩＣカードを利用した外部のサーバでの認証処理を行うことができない。
【００２６】
図１に戻り、認証受付部１０７は、ログイン情報の入力を受け付ける処理を制御する。例えば、認証受付部１０７は、表示制御部１０４を介して、表示部１０３に、デフォルトの認証方式のログイン画面又はユーザが選択した認証方式のログイン画面を表示して、ログイン情報を取得する。具体的には、認証受付部１０７は、表示制御部１０４からログイン画面又は認証方式変更画面の取得依頼を受けると、依頼された画面の画面データを記憶部１１５から読み出して、表示制御部１０４に渡す。
ログイン画面は、図１１で示されている１１種類の認証方式のそれぞれに対応して、図３〜図８に示されている１１種類のログイン画面ＩＭ１〜ＩＭ１１が用意されている。
【００２７】
認証方式変更画面は、ログイン画面の認証方式変更指示入力エリア１２３が押下されることで表示される画面である。
図１２及び図１３は、認証方式変更画面の例を示す概略図である。
図１２（Ａ）に示されている認証方式変更画面ＩＭ４０＃１は、認証タイプとして「ローカル認証」が選択されている場合、言い換えると、「ローカル」のタブ１３１が選択されている場合の画面である。認証方式選択エリア１３２には、選択可能な認証方式に対応するエリア（ボタン）が配置されており、選択する認証方式に対応するエリアを押下することで、そのエリアに対応する認証方式を選択することができる。なお、図１２（Ａ）では、デフォルトの認証方式である「ローカルＩＣカード認証」を示す「ＩＣカード」のエリアが選択されている。
【００２８】
図１２（Ｂ）に示されている認証方式変更画面ＩＭ４０＃２は、認証タイプとして「ネットワーク認証」又は「Ｋｅｒｂｅｒｏｓ認証」が選択されている場合、言い換えると、「ネットワーク」のタブ１３３が選択されている場合の画面である。
図１３に示されている認証方式変更画面ＩＭ４０＃３は、認証タイプとして「ネットワーク認証」又は「Ｋｅｒｂｅｒｏｓ認証」が選択され、かつ、図１１に示されているように、ネットワークでのＩＣカードを用いた認証が無効にされている場合の画面である。図１３では、ネットワークでのＩＣカードを用いた認証方式に対応するエリアが破線で示されており、選択できないように表示されている。
以上のように、認証方式変更画面は、選択肢の全体が見渡せるようになっており、現在選択されているものと、選択できないものとが把握できるように表示されている。そして選択肢を選択すると、選択した認証方式のログイン画面が表示される。
また、以上のように、「ローカル」のタブ１３１及び「ネットワーク」のタブ１３３は、ローカル認証及びネットワーク認証の何れかを選択するためのエリアとして機能する。
【００２９】
図１に戻り、認証受付部１０７は、表示制御部１０４からデフォルトのログイン画面の取得依頼を受けた時は、認証設定記憶部１０６に記憶されている認証設定テーブル１３０でデフォルトの認証方式を確認して、そのログイン画面を表示するための画面データを記憶部１１５から読み出して、表示制御部１０４に渡す。
また、認証受付部１０７は、表示制御部１０４からログイン情報と一緒に認証の依頼を受けた時は、その時受けたログイン情報で認証部１０８に認証を依頼し、認証部１０８からの認証結果を表示制御部１０４に通知する。
【００３０】
認証部１０８は、ログイン情報に基づく認証を制御する。例えば、認証部１０８は、ローカル認証では、認証を行うためのユーザ情報を記憶部１１５に記憶させておき、記憶されているユーザ情報に基づいて、ログイン情報の認証を行う。また、認証部１０８は、ネットワーク認証又はＫｅｒｂｅｒｏｓ認証では、送受信部１１２を介して、外部のサーバにアクセスして、ログイン情報の認証を行う。そして、認証部１０８は、認証結果を認証受付部１０７に通知する。
【００３１】
読取部１０９は、原稿から画像データを読み取って、画像メモリ１１０にその画像データを一時的に記憶する。
画像メモリ１１０は、画像データを一時的に記憶する。
印刷部１１１は、画像メモリ１１０に記憶されている画像データに基づいて、媒体に画像を形成（印刷）する画像形成部である。
送受信部１１２は、ファックスの通信プロトコル又はＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）等のネットワーク関連のプロトコルに従って、公衆交換電話網又は通信ネットワークを介して外部の装置とデータの送受信を行う通信インターフェースである。
【００３２】
接続部１１３は、ＵＳＢ（Ｕｎｉｖｅｒｓａｌ  Ｓｅｒｉａｌ  Ｂｕｓ）等、外部の装置を接続するための接続インターフェースである。本実施の形態では、ＩＣカードとの間でデータをやりとりするＩＣカードリーダ１１７が接続部１１３に接続されている。ＩＣカードリーダ１１７は、内臓タイプのものでもよいが、ここでは外付けタイプのものを例に記載している。ＩＣカードリーダ１１７にＩＣカードがかざされると、認証受付部１０７にログイン情報が通知されるようになっている。
制御部１１４は、画像形成装置１００の全体を統括的に制御する。
記憶部１１５は、画像形成装置１００での処理に必要なプログラム及びデータを記憶する。
共通バス１１６は、画像形成装置１００における上記各部分を接続する信号線である。
【００３３】
以上に記載されたタッチパネル１０２、操作部１０５及びＩＣカードリーダ１１７は、ログイン情報の入力を受け付ける入力部として機能する。
【００３４】
また、以上に記載された認証受付部１０７、認証部１０８及び制御部１１４は、例えば、ＣＰＵ（Ｃｅｎｔｒａｌ  Ｐｒｏｃｅｓｓｉｎｇ  Ｕｎｉｔ）等の一つ又は複数のプロセッサが、記憶部１１５に記憶されているプログラムを実行することで実現することができる。また、認証受付部１０７、認証部１０８及び制御部１１４の一部又は全部の機能は、コンピュータシステム上にソフトウェア的に実現されるものに限定されない。例えば、ＳＯＣ（Ｓｙｓｔｅｍ−ｏｎ−ａ−ｃｈｉｐ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されるものでもよいし、あるいは、ＤＳＰ（Ｄｉｇｉｔａｌ  Ｓｉｇｎａｌ  Ｐｒｏｃｅｓｓｏｒ）等によりソフトウェア的に実現されるものでもよい。
また、認証設定記憶部１０６及び記憶部１１５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）又はＨＤＤ（Ｈａｒｄ  Ｄｉｓｋ  Ｄｒｉｖｅ）等の記憶装置により実現することができる。
【００３５】
（動作の説明）
図１４及び図１５は、画像形成装置１００での動作を示すシーケンス図である。
ここでは、画像形成装置１００の電源が投入され、デフォルトのログイン画面（ローカル、ＩＣカード）が表示されている時に、例えば、装置内部にユーザ情報が無く、ユーザがＩＣカードを忘れたため、ユーザが「ネットワーク、ＰＩＮ」の認証方式を選択して、ＰＩＮで画像形成装置１００にログインするケースについて説明する。
【００３６】
画像形成装置１００の電源が投入されると（Ｓ１０）、表示制御部１０４は、認証受付部１０７にデフォルトのログイン画面を問い合わせる（Ｓ１１）。
認証受付部１０７は、認証設定記憶部１０６に記憶されている認証設定テーブル１３０からデフォルトの認証方式（ローカル、ＩＣカード）のログイン画面識別情報を取得する（Ｓ１２〜Ｓ１３）。そして、認証受付部１０７は、取得されたログイン画面識別情報に対応するローカルＩＣカードのログイン画面の画面データを記憶部１１５から読み出して、その画面データを表示制御部１０４に渡す（Ｓ１４）。
表示制御部１０４は、渡された画面データに基づいて、表示部１０３にローカルＩＣカードのログイン画面を表示する（Ｓ１５）。表示部１０３に表示される画面は、例えば、図５に示されているログイン画面ＩＭ５である。
【００３７】
表示部１０３に表示されているローカルＩＣカードのログイン画面ＩＭ５の認証方式変更指示入力エリア１２３が押下されると、認証方式変更指示が表示制御部１０４に通知される（Ｓ１６）。
表示制御部１０４は、認証方式変更画面の画面データを認証受付部１０７に要求する（Ｓ１７）。認証受付部１０７は、記憶部１１５から認証方式変更画面の画面データを読み出し、表示制御部１０４に渡す（Ｓ１８）。
表示制御部１０４は、渡された画面データに基づいて、表示部１０３に認証方式変更画面を表示する（Ｓ１９）。表示部１０３に表示される画面は、例えば、図１２（Ａ）に示されている認証方式変更画面ＩＭ４０＃１である。この画面ＩＭ４０＃１では、ローカルタブ及びＩＣカードが選択された状態になっている。
【００３８】
表示部１０３に表示されている認証方式変更画面ＩＭ４０＃１で、ネットワークタブ１３３が押下されると、ネットワークタブ１３３の押下が表示制御部１０４に通知され（Ｓ２０）、図１３に示されている認証方式変更画面ＩＭ４０＃３に示されているように、ネットワークタブ１３３が選択された状態に表示が更新される（Ｓ２１）。図１３に示されている認証方式変更画面ＩＭ４０＃３は、図１１に示されている認証設定テーブル１３０の有効／無効列１３０ｆの設定に基づいており、ネットワークのＩＣカード認証は選択できないように表示されている。
【００３９】
表示部１０３に表示されている認証方式変更画面ＩＭ４０＃３のＬＤＡＰＰＩＮボタン１３４が押下されると、ＬＤＡＰ、ＰＩＮの認証方式が表示制御部１０４に指定される（Ｓ２２）。表示制御部１０４は、認証受付部１０７にＬＤＡＰ、ＰＩＮの認証方式のログイン画面の画面データを認証受付部１０７に要求する（Ｓ２３）。認証受付部１０７は、記憶部１１５からＬＤＡＰ、ＰＩＮの認証方式のログイン画面の画面データを読み出し、表示制御部１０４に渡す（Ｓ２４）。
表示制御部１０４は、渡された画面データに基づいて、ＬＤＡＰ、ＰＩＮの認証方式のログイン画面を、表示部１０３に表示する（Ｓ２５）。表示部１０３に表示される画面は、図７（Ａ）に示されているログイン画面ＩＭ８である。そして処理は図１５に進む。
【００４０】
操作部１０５のテンキー１０３−８でＰＩＮ番号が入力されると、表示制御部１０４にそれが通知され（Ｓ２６）、表示制御部１０４は、表示部１０３に表示しているログイン画面に入力されたＰＩＮ番号を反映させる（Ｓ２７）。ここで、表示部１０３に表示される画面は、図１６に示されているログイン画面ＩＭ５０である。
【００４１】
表示部１０３に表示されているＬＤＡＰ、ＰＩＮのログイン画面ＩＭ５０のＯＫボタン１２７が押下されると、ログイン指示が表示制御部１０４に通知される（Ｓ２８）。そして、表示制御部１０４は、入力されたＰＩＮ番号をもとに、外部のＬＤＡＰサーバでの認証を認証受付部１０７に依頼する（Ｓ２９）。認証受付部１０７は、依頼された内容を認証部１０８に渡す（Ｓ３０）。認証部１０８は、送受信部１１２経由で外部のＬＤＡＰサーバにアクセスして、受け取ったログイン情報で認証を行う（Ｓ３１）。なお、認証については、本実施の形態の範囲外であり、公知の方法で行われればよいため、詳細な説明は省略する。ここでは、認証に成功したものとして説明を行う。
認証部１０８は、「認証結果＝ＯＫ」、即ち、認証に成功すると、そのことを認証受付部１０７に通知し（Ｓ３２〜Ｓ３３）、認証受付部１０７は、それを表示制御部１０４に通知する（Ｓ３４）。
そして、表示制御部１０４は、認証に成功したことを受け、表示部１０３に待機画面を表示する（Ｓ３５）。表示部１０３に表示される画面は、図９に示されている待機画面ＩＭ２０である。
【００４２】
表示部１０３に表示されている待機画面ＩＭ２０のログアウトボタン１４０が押下されると、ログアウトが表示制御部１０４に指示される（Ｓ３６）。表示制御部１０４は、認証受付部１０７にデフォルトのログイン画面を問い合わせる（Ｓ３７）。
認証受付部１０７は、認証設定記憶部１０６に記憶されている認証設定テーブル１３０からデフォルトの認証方式（ローカル、ＩＣカード）のログイン画面識別情報を取得する（Ｓ３８〜Ｓ３９）。そして、認証受付部１０７は、取得されたログイン画面識別情報に対応するローカルＩＣカードのログイン画面の画面データを記憶部１１５から読み出して、その画面データを表示制御部１０４に渡す（Ｓ４０）。
表示制御部１０４は、渡された画面データに基づいて、表示部１０３にローカルＩＣカードのログイン画面を表示する（Ｓ４１）。表示部１０３に表示される画面は、例えば、図５に示されているログイン画面ＩＭ５である。
【００４３】
図１７は、画像形成装置１００での認証処理を示すフローチャートである。
画像形成装置１００の電源が投入されると（Ｓ５０）、認証受付部１０７は、表示制御部１０４からのログイン画面の問い合わせに応じて、記憶部１１５からデフォルトの認証方式のログイン画面の画面データを取得する。そして、認証受付部１０７は、その画面データを表示制御部１０４に送り、表示部１０３にローカルＩＣカードのログイン画面を表示させる（Ｓ５１）。
【００４４】
表示部１０３に表示されているデフォルトのログイン画面で、認証方式変更ボタンが押下されると、認証方式変更指示が表示制御部１０４を介して認証受付部１０７に通知され、認証受付部１０７は、認証方式を変更する（Ｓ５２）。ここでの処理については、図１８を用いて説明する。
認証受付部１０７は、記憶部１１５から変更後のログイン画面の画面データを読み出し、それを表示制御部１０４に送り、表示部１０３に変更後のログイン画面を表示させる（Ｓ５３）。
【００４５】
表示部１０３及び操作部１０５等を介して、ログイン情報が入力されると（Ｓ５４）、認証受付部１０７は、表示制御部１０４から入力されたログイン情報を受け取り、それを認証部１０８に送り、認証を依頼する（Ｓ５５）。このような依頼を受けた認証部１０８は、認証を行い、認証結果を認証受付部１０７に与え、認証受付部１０７は、認証結果を表示制御部１０４に送る。
【００４６】
表示制御部１０４は、受け取った認証結果が、認証に成功したことを示すものであるか否かを判断する（Ｓ５６）。認証に成功した場合（Ｓ５６でＹｅｓ）には、処理はステップＳ５７に進み、認証に失敗した場合（Ｓ５６でＮｏ）には、処理はステップＳ６０に進む。
【００４７】
ステップＳ５７では、表示制御部１０４は、記憶部１１５から待機画面の画面データを読み出して、表示部１０３に待機画面を表示する。
そして、表示部１０３に表示されている待機画面でログアウトボタンが押下されると（Ｓ５８）、表示制御部１０４は、認証受付部１０７にデフォルトのログイン画面を問い合わせて、その画面データを取得し、デフォルトのログイン画面を表示部１０３に表示する（Ｓ５９）。
【００４８】
一方、認証に失敗した場合（Ｓ５６でＮｏ）には、処理はステップＳ６０に進み、表示制御部１０４は、図１０に示されているような、エラー画面ＩＭ３０を表示部１０３に表示する。
そして、表示部１０３に表示されているエラー画面ＩＭ３０において、閉じるボタン１６０が押下された場合、又は、予め定められた時間が経過した場合（Ｓ６１）には、処理はステップＳ５９に進み、表示部１０３にデフォルトのログイン画面が表示される。
【００４９】
図１８は、認証方式を変更する処理を示すフローチャートである。
認証方式変更指示が表示制御部１０４に通知されると、表示制御部１０４は、認証方式変更画面の画面データを認証受付部１０７に要求し、その応答として、その画面データを認証受付部１０７から取得し、表示部１０３に表示する（Ｓ７０）。
表示部１０３に表示されている認証方式変更画面において、ユーザが変更する認証方式を示すボタンを押下すると、表示制御部１０４は、押下されたボタンに対応する認証方式のログイン画面の画面データを認証受付部１０７に要求し、その応答として、その画面データを認証受付部１０７から取得して（Ｓ７１）、変更後のログイン画面を表示部１０３に表示する。
【００５０】
以上のように、実施の形態に係る画像形成装置１００によれば、操作者の意思で認証方式の変更ができ、また、デフォルトの認証方式でログインするときは、認証方式を選択する画面を表示する必要がないので、余計な操作ステップの発生を抑えることができる。
【００５１】
図１９に示されている認証設定テーブル１３０＃のように、セキュリティレベル列１３０ｈを設けて、管理者が各々の認証方式についてセキュリティレベルを設定することができるようにしてもよい。このような場合、認証方式変更画面で、予め定められたセキュリティレベルよりも高いセキュリティレベルの認証方式しか選択できないようにすることができる。
また、このような場合には、認証方式変更画面で、デフォルトで設定された認証方式のセキュリティレベルよりも高いセキュリティレベルの認証方式しか選択できないようにすることもできる。さらに、このような場合には、認証方式変更画面で、デフォルトで設定された認証方式のセキュリティレベルよりも低いセキュリティレベルの認証方式を選択できないようにすることもできる。
【００５２】
以上に記載した実施の形態においては、図１１に示されている認証設定テーブル１３０の有効／無効列１３０ｆで、認証方式が有効であるか否か、言い換えると、認証方式を選択することができるか否かを設定することができるようになっているが、このような例に限定されない。例えば、認証方式変更画面では、ネットワークを介した認証方式は一切選択できないようにされていてもよい。
【００５３】
また、設定不足やエラー等で装置がネットワークを使用できない状態のときは、認証方式変更画面で、ネットワークの認証方式を選択できないようにすることもできる。
【００５４】
以上の実施の形態では、画像形成装置を例に説明したが、認証によるログインを要する機器全般、例えば、情報処理装置に本発明を適用することができる。
【符号の説明】
【００５５】
１００  画像形成装置、  １０１  オペレーションパネル、  １０２  タッチパネル、  １０３  表示部、  １０４  表示制御部、  １０５  操作部、  １０６  認証設定記憶部、  １０７  認証受付部、  １０８  認証部、  １０９  読取部、  １１０  画像メモリ、  １１１  印刷部、  １１２  送受信部、  １１３  接続部、  １１４  制御部、  １１５  記憶部、  １１６  共通バス、  １１７  ＩＣカードリーダ。
【図１】
0006535205.tif 000002
【図２】
0006535205.tif 000003
【図３】
0006535205.tif 000004
【図４】
0006535205.tif 000005
【図５】
0006535205.tif 000006
【図６】
0006535205.tif 000007
【図７】
0006535205.tif 000008
【図８】
0006535205.tif 000009
【図９】
0006535205.tif 000010
【図１０】
0006535205.tif 000011
【図１１】
0006535205.tif 000012
【図１２】
0006535205.tif 000013
【図１３】
0006535205.tif 000014
【図１４】
0006535205.tif 000015
【図１５】
0006535205.tif 000016
【図１６】
0006535205.tif 000017
【図１７】
0006535205.tif 000018
【図１８】
0006535205.tif 000019
【図１９】
0006535205.tif 000020